(57)【要約】【課題】  バネのピッチ公差、疲労変形を修正する調整式ねじりバネの調整方式及び調整機構の提供。【解決手段】  本発明の調整機構は調整式ねじりバネのケースの一端に固定され、ねじりバネの予張力或いは予圧力を改変することでバネのピッチ公差と疲労変形を修正し、バネのピッチを回転体のピッチに回復させ、これにより回転体の抵抗体がバネ線を圧迫するところにあって回転体の抵抗体とバネ線を分離し、且つ微小な間隙を保持させ、更に回転体を回してねじりバネに所定の有効周数を達成させ、最後にねじりバネの予圧力或いは予張力を調整する。本発明の調整方法は、各種の調整式ねじりバネに運用されて有効に調整式ねじりバネのピッチの公差及び疲労変形の問題を解決し、並びに使用中の調整式ねじりバネが発生する騒音を減らす。【選択図】        図１
2005331095.tif 000002
【特許請求の範囲】
【請求項１】
外径式回転体を具え、調整式ねじりバネのバネのピッチ公差、疲労変形を修正する調整機構であり、該調整機構は、調整ケース（７０１）、予力ロッド（７０２）、予力駆動軸（７０４）、予力ノブ（７０３）、回転体駆動軸（７０６）、回転体ノブ（７０５）、及び区画シート（７０７）が組み合わされてなり、
該調整ケース（７０１）は中空とされ、その一端の底部に中空円孔が設けられ、その内径は別端の内径より小さく、底部外周より離れた位置が調整式ねじりバネケースの雄型ケースの一端の内周とネジの嵌め合いにより結合され、これにより全体の外径式調整機構が固定され、その軸方向に所定長さのスロット（７０８）が設けられ、スロット（７０８）の底部は調整ケース（７０１）の底部に接近し、スロット（７０８）の別端は端部とされ、調整ケース（７０１）の底部外周にネジ山が設けられて区画シート（７０７）と組み合わされ、
該予力ロッド（７０２）は中空とされ、一端の内周にネジ山が設けられて予力駆動軸（７０４）の外周のネジ山と組み合わされ、別端の内周にネジ山が設けられ、回転体（３０）の外周のネジ山と組み合わされ、その外周とねじりバネ（４０）の一端が接合され、該ねじりバネ（４０）が調整機構（７０）に固定され、予力ロッド（７０２）の外周の所定の位置に固定キー（７０９）が設けられ、
該固定キー（７０９）は、予力ロッド（７０２）の外周の所定の位置に設けられ、調整ケース（７０１）のスロット（７０８）と組み合わされ、予力ロッド（７０２）を軸方向移動可能とし、
該予力駆動軸（７０４）は、中空とされ、一端が調整ケース（７０１）の底部の中心円孔を通り、予力ノブ（７０３）と緊密に接合され、その別端の外周にネジ山が設けられ、予力ロッド（７０２）の一端の内周のネジ山と組み合わされ、
該予力ノブ（７０３）は、手動回転によりねじりバネ（４０）の予圧力と予張力を調整するのに供され、調整ケース（７０１）底部の外表面に位置して予力駆動軸（７０４）と緊密に接合され、予力ノブ（７０３）が回転する時、予力ノブ（７０３）と調整ケース（７０１）底部の接触面がスライド自在に組み合わされているため、予力駆動軸（７０４）が駆動され回転し、予力ロッド（７０２）の固定キー（７０９）と調整ケース（７０１）のスロット（７０８）の作用により、予力ロッド（７０２）が軸方向に移動し、
該区画シート（７０７）は、中空とされ、ネジ山で調整ケース（７０１）底部外周のネジ山と接合され、
該回転体駆動軸（７０６）は、一端が調整ケース（７０１）の底部中心円孔と区画シート（７０７）の中心円孔を通り、回転体ノブ（７０５）と緊密に接合され、その別端の外周に軸方向の駆動キーが設けられ、中空の回転体（３０）内周の軸方向キー溝にスライド自在に組み合わされ、
該回転体ノブ（７０５）は、手動回転によりねじりバネ（４０）の有効巻数を調整するのに供され、区画シート（７０７）の外表面にあって回転体駆動軸（７０６）の一端と緊密に接合され、回転体ノブ（７０５）が回される時、回転体ノブ（７０５）が区画シート（７０７）の接触面とスライド自在に組み合わされ、並びに回転体駆動軸（７０６）を駆動し回転させ、回転体駆動軸（７０６）の軸方向の駆動キーにより回転体（３０）内周の軸方向キー溝が駆動され、回転体（３０）が回され、回転体（３０）の外周のネジのピッチ、及び予力ロッド（７０２）の固定キー（７０９）の作用により回転体（３０）が回転すると共に軸方向に移動することを特徴とする、調整式ねじりバネのバネのピッチ公差、疲労変形を修正する調整機構。
【請求項２】
調整式ねじりバネのバネのピッチ公差、疲労変形を修正する調整方法は、調整機構を調整式ねじりバネのケースの一端に固定し、初期状態下で、回転体の抵抗体がバネ線を圧迫するところにあって回転体の抵抗体とバネ線を分離し、且つ微小な間隙を有するようにし、ねじりバネの予圧力と予張力が最大の調整範囲を具備するようにし、ねじりバネの有効巻数を最大の調整範囲を有するようにし、調整式ねじりバネの有効巻数を増加或いは減少するステップは、以下を具え、即ち、
ステップ１：  調整機構でねじりバネの予張力或いは予圧力を改変してバネのピッチを回転体のネジの所定のピッチに回復させ、これにより回転体の抵抗体がバネを圧迫する部分にあって、回転体の抵抗体とバネ線を分離し且つ微小な間隙を具備させる。
ステップ２：  回転体を回転させて、ねじりバネの設定有効巻数を達成させ、もし回転体の抵抗体とバネ線が接触して回転体が有効に回転できなくなった時は、ステップ１に戻る。
ステップ３：  調整機構でねじりバネの予圧力と予張力を増し、回転体の抵抗体にバネ線を圧迫させる。
以上を特徴とする、調整式ねじりバネのバネのピッチ公差、疲労変形を修正する調整方法。
【請求項３】
請求項２記載の調整式ねじりバネのバネのピッチ公差、疲労変形を修正する調整方法において、調整機構が外径式回転体を具えた調整機構或いは内径式回転体を具えた調整機構とされることを特徴とする、調整式ねじりバネのバネのピッチ公差、疲労変形を修正する調整方法。
【請求項４】
請求項２記載の調整式ねじりバネのバネのピッチ公差、疲労変形を修正する調整方法において、圧縮型調整式ねじりバネと外径式回転体を具えた調整機構に運用されることを特徴とする、調整式ねじりバネのバネのピッチ公差、疲労変形を修正する調整方法。
【請求項５】
請求項２記載の調整式ねじりバネのバネのピッチ公差、疲労変形を修正する調整方法において、引っ張り型調整式ねじりバネと外径式回転体を具えた調整機構に運用されることを特徴とする、調整式ねじりバネのバネのピッチ公差、疲労変形を修正する調整方法。
【請求項６】
請求項２記載の調整式ねじりバネのバネのピッチ公差、疲労変形を修正する調整方法において、圧縮型調整式ねじりバネと内径式回転体を具えた調整機構に運用されることを特徴とする、調整式ねじりバネのバネのピッチ公差、疲労変形を修正する調整方法。
【請求項７】
請求項２記載の調整式ねじりバネのバネのピッチ公差、疲労変形を修正する調整方法において、引っ張り型調整式ねじりバネと内径式回転体を具えた調整機構に運用されることを特徴とする、調整式ねじりバネのバネのピッチ公差、疲労変形を修正する調整方法。
【請求項８】
請求項２記載の調整式ねじりバネのバネのピッチ公差、疲労変形を修正する調整方法において、圧縮型調整式ねじりバネのバネの有効巻数を増加するか減少するのに使用される時、調整ステップの回転体のネジのピッチは、回転体の抵抗体及びその一周回転する時に発生する軸方向移動のピッチを、初期ピッチと等しくするかそれより小さくすることを特徴とする、調整式ねじりバネのバネのピッチ公差、疲労変形を修正する調整方法。
【請求項９】
請求項２記載の調整式ねじりバネのバネのピッチ公差、疲労変形を修正する調整方法において、引っ張り型調整式ねじりバネのバネの有効巻数を増加するか減少するのに使用される時、調整ステップの回転体のネジのピッチは、回転体の抵抗体及びその一周回転する時に発生する軸方向移動のピッチを、初期ピッチと等しくするかそれより大きくすることを特徴とする、調整式ねじりバネのバネのピッチ公差、疲労変形を修正する調整方法。
【請求項１０】
請求項８記載の調整式ねじりバネのバネのピッチ公差、疲労変形を修正する調整方法において、初期ピッチは初期予圧力を受けて発生するバネのピッチとされ、初期ピッチと初期予圧力を受けないネジのピッチの差がねじりバネの疲労変形の範囲とされることを特徴とする、調整式ねじりバネのバネのピッチ公差、疲労変形を修正する調整方法。
【請求項１１】
請求項９記載の調整式ねじりバネのバネのピッチ公差、疲労変形を修正する調整方法において、初期ピッチは初期予張力を受けて発生するバネのピッチとされ、初期ピッチと初期予張力を受けないネジのピッチの差がねじりバネの疲労変形の範囲とされることを特徴とする、調整式ねじりバネのバネのピッチ公差、疲労変形を修正する調整方法。
【請求項１２】
請求項２記載の調整式ねじりバネのバネのピッチ公差、疲労変形を修正する調整方法において、予圧力を増すには、先ず予力ノブを回して回転体をねじりバネの圧縮の方向に軸方向移動させれば、回転体の抵抗体がバネ線に圧接されて有効巻数部分のバネの予圧力が増すことを特徴とする、調整式ねじりバネのバネのピッチ公差、疲労変形を修正する調整方法。
【請求項１３】
請求項２記載の調整式ねじりバネのバネのピッチ公差、疲労変形を修正する調整方法において、予張力を増すには、先ず予力ノブを回して回転体をねじりバネの引っ張りの方向に軸方向移動させれば、回転体の抵抗体がバネ線に圧接されて有効巻数部分のバネの予張力が増すことを特徴とする、調整式ねじりバネのバネのピッチ公差、疲労変形を修正する調整方法。
【発明の詳細な説明】
【技術分野】
【０００１】
本発明は一種の調整式ねじりバネのバネのピッチ公差、疲労変形を修正する調整方法及び調整機構に係り、特に振動防止装置に用いられる調整式ねじりバネのピッチ公差、疲労変形を修正する調整方法及び調整機構に関する。
【背景技術】
【０００２】
周知のねじりバネの弾性係数は、生産時に確定され、これにより機器設備に運用される時には規格が符合しない問題が発生する。このため機器設備或いは用途に合わせて異なるねじりバネを用意しなければならず、経済的でない。
【０００３】
本件出願人は特許文献１においてこのような問題を解決する調整式ねじりバネケース装置を提供している。それは、雄型、雌型の二つのケースと回転体で組成され、使用者の機器設備に合わせて異なる弾性係数を形成でき、その特徴はねじりバネの一端が雌型ケース底部中心の固定座に固定され、別端が雄型ケース内部に置かれ、回転体の外周或いは内周に設けられた複数の抵抗たいバネ線と接触し、回転体の回転によりねじりバネの圧縮或いは引っ張りの有効バネ巻数が改変され、即ちねじりバネの弾性係数が改変されるよう形成され、これにより使用時の適用範囲を広げ、並びにねじりバネの実用性を高め、多種類の構造形態組成を可能とし、並びに使用者の必要に応じてねじりバネの弾性係数を改変できるようにし、こうして有効に規格不符合の問題を解決し、周知のねじりバネの問題を解決するようにしている。
【０００４】
【特許文献１】台湾特許公告第４３６５８８号明細書
【発明の開示】
【発明が解決しようとする課題】
【０００５】
しかし上述の調整式ねじりバネケース装置はねじりバネの問題を解決するとはいえ、各種ねじりバネに共通する問題を有している。即ち、長時間の使用或いは使用過度により変形或いは疲労を発生する問題である。このためこの問題を解決して調整式ねじりバネの交換頻度を減らす必要がある。
【０００６】
本発明はねじりバネが長時間の使用或いは使用過度により変形或いは疲労を発生する問題を解決すべく、一種の調整式ねじりバネのバネのピッチ公差、疲労変形を修正する調整方法及び調整機構を提供するものである。
【０００７】
本発明の目的は、一種の調整式ねじりバネのバネのピッチ公差、疲労変形を修正する調整方法を提供することにあり、それは、調整式ねじりバネケースの一端に固定された調整機構を利用し、調整式ねじりバネのバネのピッチの公差、変形及び疲労が発生する問題を解決し、回転体を効果的に回転させて所定のバネの有効巻数を達成すると共に、使用中の調整式ねじりバネの発生する騒音を減らせる調整方法であるものとする。
【０００８】
本発明の別の目的は、一種の調整式ねじりバネのバネのピッチ公差、疲労変形を修正する調整方法を提供することにあり、それは各種の調整式ねじりバネ（圧縮型或いは引っ張り型）のケース内において運用可能である方法であるものとする。
【０００９】
本発明の更に別の目的は、一種の調整式ねじりバネのバネのピッチ公差、疲労変形を修正する調整方法を提供することにあり、それは、調整式ねじりバネの使用寿命を延長し、機器の故障率を低減できる方法であるものとする。
【００１０】
本発明の調整式ねじりバネのバネのピッチ公差、疲労変形を修正する調整方法及び調整機構は、調整機構が調整式ねじりバネのケースの一端に固定され、ねじりバネが調整機構に固定され、ねじりバネの予張力或いは予圧力を改変することでバネのピッチ公差と疲労変形を修正し、バネのピッチを回転体のピッチに回復させ、これにより回転体の抵抗体がバネ線を圧迫するところにあって回転体の抵抗体とバネ線を分離し、且つ微小な間隙を保持させ、更に回転体を回してねじりバネに所定の有効巻数を達成させ、最後にねじりバネの予圧力或いは予張力を調整する。ねじりバネの製造工程中、各バネのピッチは公差範囲を有し、調整式ねじりバネをある期間使用すると、疲労因子によりねじりバネが変形し、バネのピッチもこれにより改変し、各バネのピッチの公差範囲が大きくなる。ただし調整式ねじりバネの回転体のネジのピッチは改変せず、一周回転した後、その軸方向移動距離は改変せず、回転体を有効に回転させバネのピッチの公差、疲労変形の影響を受けさせないようにするため、調整機構を調整式ねじりバネケースの一端に固定し、並びに初期状態に設定し、この初期状態は、回転体の抵抗体がバネ線を圧迫するところにあって、バネ線と回転体を分離し、且つ微小な間隙を有するものとし、ねじりバネの予圧力或いは予張力に最大の調整範囲を具備させ、並びにねじりバネの有効巻数を最大の調整範囲に最大の調整範囲を具備させる。その調整式ねじりバネの有効巻数の調整ステップは以下のとおりである。
ステップ１：  調整機構でねじりバネの予張力或いは予圧力を改変してバネのピッチを回転体のネジの所定のピッチに回復させ、これにより回転体の抵抗体がバネを圧迫する部分にあって、回転体の抵抗体とバネ線を分離し且つ微小な間隙を保持させる。
ステップ２：  回転体を回転させて、ねじりバネの設定有効巻数を達成させ、もし回転体の抵抗体とバネ線が接触して回転体が有効に回転できなくなった時は、ステップ１に戻る。
ステップ３：  調整機構でねじりバネの予圧力と予張力を増し、回転体の抵抗体にバネ線を圧迫させる。
【課題を解決するための手段】
【００１１】
請求項１の発明は、外径式回転体を具え、調整式ねじりバネのバネのピッチ公差、疲労変形を修正する調整機構であり、該調整機構は、調整ケース（７０１）、予力ロッド（７０２）、予力駆動軸（７０４）、予力ノブ（７０３）、回転体駆動軸（７０６）、回転体ノブ（７０５）、及び区画シート（７０７）が組み合わされてなり、
該調整ケース（７０１）は中空とされ、その一端の底部に中空円孔が設けられ、その内径は別端の内径より小さく、底部外周より離れた位置が調整式ねじりバネケースの雄型ケースの一端の内周とネジの嵌め合いにより結合され、これにより全体の外径式調整機構が固定され、その軸方向に所定長さのスロット（７０８）が設けられ、スロット（７０８）の底部は調整ケース（７０１）の底部に接近し、スロット（７０８）の別端は端部とされ、調整ケース（７０１）の底部外周にネジ山が設けられて区画シート（７０７）と組み合わされ、
該予力ロッド（７０２）は中空とされ、一端の内周にネジ山が設けられて予力駆動軸（７０４）の外周のネジ山と組み合わされ、別端の内周にネジ山が設けられ、回転体（３０）の外周のネジ山と組み合わされ、その外周とねじりバネ（４０）の一端が接合され、該ねじりバネ（４０）が調整機構（７０）に固定され、予力ロッド（７０２）の外周の所定の位置に固定キー（７０９）が設けられ、
該固定キー（７０９）は、予力ロッド（７０２）の外周の所定の位置に設けられ、調整ケース（７０１）のスロット（７０８）と組み合わされ、予力ロッド（７０２）を軸方向移動可能とし、
該予力駆動軸（７０４）は、中空とされ、一端が調整ケース（７０１）の底部の中心円孔を通り、予力ノブ（７０３）と緊密に接合され、その別端の外周にネジ山が設けられ、予力ロッド（７０２）の一端の内周のネジ山と組み合わされ、
該予力ノブ（７０３）は、手動回転によりねじりバネ（４０）の予圧力と予張力を調整するのに供され、調整ケース（７０１）底部の外表面に位置して予力駆動軸（７０４）と緊密に接合され、予力ノブ（７０３）が回転する時、予力ノブ（７０３）と調整ケース（７０１）底部の接触面がスライド自在に組み合わされているため、予力駆動軸（７０４）が駆動され回転し、予力ロッド（７０２）の固定キー（７０９）と調整ケース（７０１）のスロット（７０８）の作用により、予力ロッド（７０２）が軸方向に移動し、
該区画シート（７０７）は、中空とされ、ネジ山で調整ケース（７０１）底部外周のネジ山と接合され、
該回転体駆動軸（７０６）は、一端が調整ケース（７０１）の底部中心円孔と区画シート（７０７）の中心円孔を通り、回転体ノブ（７０５）と緊密に接合され、その別端の外周に軸方向の駆動キーが設けられ、中空の回転体（３０）内周の軸方向キー溝にスライド自在に組み合わされ、
該回転体ノブ（７０５）は、手動回転によりねじりバネ（４０）の有効巻数を調整するのに供され、区画シート（７０７）の外表面にあって回転体駆動軸（７０６）の一端と緊密に接合され、回転体ノブ（７０５）が回される時、回転体ノブ（７０５）が区画シート（７０７）の接触面とスライド自在に組み合わされ、並びに回転体駆動軸（７０６）を駆動し回転させ、回転体駆動軸（７０６）の軸方向の駆動キーにより回転体（３０）内周の軸方向キー溝が駆動され、回転体（３０）が回され、回転体（３０）の外周のネジのピッチ、及び予力ロッド（７０２）の固定キー（７０９）の作用により回転体（３０）が回転すると共に軸方向に移動することを特徴とする、調整式ねじりバネのバネのピッチ公差、疲労変形を修正する調整機構としている。
請求項２の発明は、調整式ねじりバネのバネのピッチ公差、疲労変形を修正する調整方法は、調整機構を調整式ねじりバネのケースの一端に固定し、初期状態下で、回転体の抵抗体がバネ線を圧迫するところにあって回転体の抵抗体とバネ線を分離し、且つ微小な間隙を有するようにし、ねじりバネの予圧力と予張力が最大の調整範囲を具備するようにし、ねじりバネの有効巻数を最大の調整範囲を有するようにし、調整式ねじりバネの有効巻数を増加或いは減少するステップは、以下を具え、即ち、
ステップ１：  調整機構でねじりバネの予張力或いは予圧力を改変してバネのピッチを回転体のネジの所定のピッチに回復させ、これにより回転体の抵抗体がバネを圧迫する部分にあって、回転体の抵抗体とバネ線を分離し且つ微小な間隙を具備させるとしている。
ステップ２：  回転体を回転させて、ねじりバネの設定有効巻数を達成させ、もし回転体の抵抗体とバネ線が接触して回転体が有効に回転できなくなった時は、ステップ１に戻るとしている。
ステップ３：  調整機構でねじりバネの予圧力と予張力を増し、回転体の抵抗体にバネ線を圧迫させるとしている。
以上を特徴とする、調整式ねじりバネのバネのピッチ公差、疲労変形を修正する調整方法としている。
請求項３の発明は、請求項２記載の調整式ねじりバネのバネのピッチ公差、疲労変形を修正する調整方法において、調整機構が外径式回転体を具えた調整機構或いは内径式回転体を具えた調整機構とされることを特徴とする、調整式ねじりバネのバネのピッチ公差、疲労変形を修正する調整方法としている。
請求項４の発明は、請求項２記載の調整式ねじりバネのバネのピッチ公差、疲労変形を修正する調整方法において、圧縮型調整式ねじりバネと外径式回転体を具えた調整機構に運用されることを特徴とする、調整式ねじりバネのバネのピッチ公差、疲労変形を修正する調整方法としている。
請求項５の発明は、請求項２記載の調整式ねじりバネのバネのピッチ公差、疲労変形を修正する調整方法において、引っ張り型調整式ねじりバネと外径式回転体を具えた調整機構に運用されることを特徴とする、調整式ねじりバネのバネのピッチ公差、疲労変形を修正する調整方法としている。
請求項６の発明は、請求項２記載の調整式ねじりバネのバネのピッチ公差、疲労変形を修正する調整方法において、圧縮型調整式ねじりバネと内径式回転体を具えた調整機構に運用されることを特徴とする、調整式ねじりバネのバネのピッチ公差、疲労変形を修正する調整方法としている。
請求項７の発明は、請求項２記載の調整式ねじりバネのバネのピッチ公差、疲労変形を修正する調整方法において、引っ張り型調整式ねじりバネと内径式回転体を具えた調整機構に運用されることを特徴とする、調整式ねじりバネのバネのピッチ公差、疲労変形を修正する調整方法としている。
請求項８の発明は、請求項２記載の調整式ねじりバネのバネのピッチ公差、疲労変形を修正する調整方法において、圧縮型調整式ねじりバネのバネの有効巻数を増加するか減少するのに使用される時、調整ステップの回転体のネジのピッチは、回転体の抵抗体及びその一周回転する時に発生する軸方向移動のピッチを、初期ピッチと等しくするかそれより小さくすることを特徴とする、調整式ねじりバネのバネのピッチ公差、疲労変形を修正する調整方法としている。
請求項９の発明は、請求項２記載の調整式ねじりバネのバネのピッチ公差、疲労変形を修正する調整方法において、引っ張り型調整式ねじりバネのバネの有効巻数を増加するか減少するのに使用される時、調整ステップの回転体のネジのピッチは、回転体の抵抗体及びその一周回転する時に発生する軸方向移動のピッチを、初期ピッチと等しくするかそれより大きくすることを特徴とする、調整式ねじりバネのバネのピッチ公差、疲労変形を修正する調整方法としている。
請求項１０の発明は、請求項８記載の調整式ねじりバネのバネのピッチ公差、疲労変形を修正する調整方法において、初期ピッチは初期予圧力を受けて発生するバネのピッチとされ、初期ピッチと初期予圧力を受けないネジのピッチの差がねじりバネの疲労変形の範囲とされることを特徴とする、調整式ねじりバネのバネのピッチ公差、疲労変形を修正する調整方法としている。
請求項１１の発明は、請求項９記載の調整式ねじりバネのバネのピッチ公差、疲労変形を修正する調整方法において、初期ピッチは初期予張力を受けて発生するバネのピッチとされ、初期ピッチと初期予張力を受けないネジのピッチの差がねじりバネの疲労変形の範囲とされることを特徴とする、調整式ねじりバネのバネのピッチ公差、疲労変形を修正する調整方法としている。
請求項１２の発明は、請求項２記載の調整式ねじりバネのバネのピッチ公差、疲労変形を修正する調整方法において、予圧力を増すには、先ず予力ノブを回して回転体をねじりバネの圧縮の方向に軸方向移動させれば、回転体の抵抗体がバネ線に圧接されて有効巻数部分のバネの予圧力が増すことを特徴とする、調整式ねじりバネのバネのピッチ公差、疲労変形を修正する調整方法としている。
請求項１３の発明は、請求項２記載の調整式ねじりバネのバネのピッチ公差、疲労変形を修正する調整方法において、予張力を増すには、先ず予力ノブを回して回転体をねじりバネの引っ張りの方向に軸方向移動させれば、回転体の抵抗体がバネ線に圧接されて有効巻数部分のバネの予張力が増すことを特徴とする、調整式ねじりバネのバネのピッチ公差、疲労変形を修正する調整方法としている。
【発明の効果】
【００１２】
本発明の調整機構は調整式ねじりバネのケースの一端に固定され、ねじりバネの予張力或いは予圧力を改変することでバネのピッチ公差と疲労変形を修正し、バネのピッチを回転体のピッチに回復させ、これにより回転体の抵抗体がバネ線を圧迫するところにあって回転体の抵抗体とバネ線を分離し、且つ微小な間隙を保持させ、更に回転体を回してねじりバネに所定の有効周数を達成させ、最後にねじりバネの予圧力或いは予張力を調整する。本発明の調整方法は、各種の調整式ねじりバネに運用されて有効に調整式ねじりバネのピッチの公差及び疲労変形の問題を解決し、並びに使用中の調整式ねじりバネが発生する騒音を減らす。
【発明を実施するための最良の形態】
【００１３】
図１、２、３は本発明の調整式ねじりバネケースの雄型ケースの一端に固定された外径式回転体の調整機構の分解図、立体図及び表示図である。外径式回転体は複数の抵抗体が回転体の外周に設けられ、図示されるようであり、外径式回転体の調整機構７０は調整ケース７０１、予力ロッド７０２、予力駆動軸７０４、予力ノブ７０３、回転体駆動軸７０６、回転体ノブ７０５、及び区画シート７０７が組み合わされてなる。
【００１４】
該調整ケース７０１は中空とされ、その一端の底部に中空円孔が設けられ、その内径は別端の内径より小さく、底部外周より離れた位置が調整式ねじりバネケースの雄型ケースの一端の内周とネジの嵌め合いにより結合され、全体の外径式調整機構が固定され、その軸方向に所定長さのスロット７０８が設けられ、スロット７０８の底部は調整ケース７０１の底部に接近し、スロット７０８の別端は端部とされ、調整ケース７０１の底部外周にネジ山が設けられて区画シート７０７と組み合わされている。
【００１５】
該予力ロッド７０２は中空とされ、一端の内周にネジ山が設けられて予力駆動軸７０４の外周のネジ山と組み合わされ、別端の内周にネジ山が設けられ、回転体３０の外周のネジ山と組み合わされ、その外周とねじりバネ４０の一端が接合され、該ねじりバネ４０が外径式回転体の調整機構７０に固定され、予力ロッド７０２の外周の所定の位置に固定キー７０９が設けられている。
【００１６】
該固定キー７０９は、予力ロッド７０２の外周の所定の位置に設けられ、調整ケース７０１のスロット７０８と組み合わされ、予力ロッド７０２を軸方向移動可能とする。
【００１７】
該予力駆動軸７０４は、中空とされ、一端が調整ケース７０１の底部の中心円孔を通り、予力ノブ７０３と緊密に接合され、その別端の外周にネジ山が設けられ、予力ロッド７０２の一端の内周のネジ山と組み合わされる。
【００１８】
該予力ノブ７０３は、手動回転によりねじりバネ４０の予圧力と予張力を調整するのに供され、調整ケース７０１底部の外表面に位置して予力駆動軸７０４と緊密に接合され、予力ノブ７０３が回転する時、予力ノブ７０３と調整ケース７０１底部の接触面がスライド自在に組み合わされているため、予力駆動軸７０４が駆動され回転し、予力ロッド７０２の固定キー７０９と調整ケース７０１のスロット７０８の作用により、予力ロッド７０２が軸方向に移動する。
【００１９】
該区画シート７０７は、中空とされ、ネジ山で調整ケース７０１底部外周のネジ山と接合される。
【００２０】
該回転体駆動軸７０６は、一端が調整ケース７０１の底部中心円孔と区画シート７０７の中心円孔を通り、回転体ノブ７０５と緊密に接合され、その別端の外周に軸方向の駆動キーが設けられ、中空の回転体３０内周の軸方向キー溝にスライド自在に組み合わされる。
【００２１】
該回転体ノブ７０５は、手動回転によりねじりバネ４０の有効巻数を調整するのに供され、区画シート７０７の外表面にあって回転体駆動軸７０６の一端と緊密に接合され、回転体ノブ７０５が回される時、回転体ノブ７０５が区画シート７０７の接触面とスライド自在に組み合わされ、並びに回転体駆動軸７０６を駆動し回転させ、回転体駆動軸７０６の軸方向の駆動キーにより回転体３０内周の軸方向キー溝が駆動され、回転体３０が回され、回転体３０の外周のネジのピッチ、及び予力ロッド７０２の固定キー７０９の作用により回転体３０が回転すると共に軸方向に移動する。
【００２２】
図４は本発明の調整式ねじりバネケースの雄型ケースの一端の内径式回転体の調整機構の表示図である。内径式回転体は複数の抵抗体が内周に設けられている。図示されるように、内径式回転体の調整機構８０は複数の回転体が内周に設けられ、図示されるように、内径式回転体の調整機構８０は、予力ノブ８０１、伸縮外管８０２、伸縮内管８０３、軸受８０４及びシールカバー８０５が組み合わされてなる。
【００２３】
該伸縮外管８０２は、中空とされ、一端がシールカバー８０５で密封され、その外周にネジ山が設けられ、別端の内周に中空の軸受８０４が固定され、該軸受８０４とシールカバー８０５の間の距離が、伸縮内管８０３の軸方向移動範囲とされ、即ち圧縮型或いは引っ張り型ねじりバネの行程とされる。
【００２４】
該伸縮内管８０３は、一端が雌型ケース２０の底部に固定され、別端が伸縮外管８０２の中空の軸受８０４に通され、伸縮外管８０２の管内にあって軸方向に移動可能で、伸縮内管８０３と軸受８０４がスライド可能に組み合わされている。
【００２５】
また、バネ固定座１０１が雄型ケース１０にあってねじりバネ４０固定に供される。
【００２６】
該予力ノブ８０１は、中空とされ、その内周にネジ山が設けられ、伸縮外管８０２の外周のネジ山と組み合わされ、その一端が雄型ケース１０に圧接され、その接触面がスライド式に組み合わされ、予力ノブ８０１回転時に、雄型ケース１０が軸方向に移動するが回転せず、予力ノブ８０１が回転する時、雄型ケース１０及び回転体が駆動されて軸方向に移動し、即ちねじりバネ４０の予張力或いは予圧力を改変する。
【００２７】
図５は本発明の雄型ケースの外径が雌型ケースの内径より小さく圧縮型調整式ねじりバネと外径式回転体を具えた調整機構の実施例図である。図示されるように、この圧縮式調整式ねじりバネは固定座２０１の長さにより圧縮行程が決定され、最大の行程圧縮される時、雄型ケース１０と雌型ケース２０の同一端が接触し、圧縮型調整式ねじりバネの組付け完成後に、そのねじりバネ４０が初期予圧力を受け、これにより雄型ケース１０の一端と固定座２０１の間に初期予圧力の作用力があるものとされ、初期予圧力の形成するバネのピッチが初期ピッチとされ、初期ピッチと初期予圧力を受けないバネのピッチの間の差がねじりバネ４０の疲労変形の範囲とされる。使用周期内に、ねじりバネ４０が疲労変形を発生し、ねじりバネ４０を初期ピッチに回復させたい場合、その必要とする予圧力は初期予圧力より小さく、有効にねじりバネ４０の有効巻数を調整できるように、回転体３０の外周の抵抗体３０１及びその外周のネジのピッチ、即ち回転体３０が一周回転する時の軸方向移動は、初期ピッチと等しいかそれ以下とされる。
〔外径式回転体の調整機構の初期状態〕
１．予力ロッド７０２の固定キー７０９の位置がスロット７０８の底部であり、そのねじりバネ４０の圧縮方向の軸方向移動量は最大とされる。
２．回転体３０の外周の抵抗体３０１と予力ロッド７０２がかすかに接触し、回転体３０のねじりバネ４０の圧縮方向の軸方向移動が最大とされる。
３．回転体３０外周の抵抗体３０１のバネ線４０１に対する圧迫部分において、回転体３０外周の抵抗体３０１とバネ線４０１が分離され、且つ微小な間隙を有するものとされる。
初期設定後、この時圧縮型調整式ねじりバネの弾性係数は最小とされ、そのねじりバネ４０の有効巻数は最大とされる。
予圧力を増すには、予力ノブ７０３を回し、予力駆動軸７０４と予力ロッド７０２を駆動して回転させ、予力ロッド７０２をねじりバネ４０の圧縮方向に軸方向移動させると、回転体３０も軸方向移動し、回転体３０の外周の抵抗体３０１がバネ線４０１に対して圧迫し、これにより有効巻数部分のねじりバネ４０の予圧力が増す。
〔ねじりバネ４０の有効巻数を減らし弾性係数を増す調整ステップ〕
ステップ１：予圧力を減らし、バネのピッチを回転体のピッチに回復させる。即ち、予力ノブ７０３を回し、予力駆動軸７０４と予力ロッド７０２を駆動して回転させ、予力ロッド７０２をねじりバネ４０の圧縮方向と反対方向に軸方向移動させると、回転体３０も軸方向移動し、回転体３０の外周の抵抗体３０１とバネ線４０１を分離させ、且つ微小な間隙を形成させ、これにより全体のねじりバネ４０の予圧力を減らす。
ステップ２：ねじりバネ４０の有効巻数を減らす。即ち、回転体ノブ７０５を回し、回転体駆動軸７０６と回転体３０を駆動し、回転体３０をねじりバネ４０の圧縮方向に軸方向移動させ、設定された回転数を達成し、もし回転体３０の外周の抵抗体３０１とバネ線４０１が接触して回転体３０が有効に回転できなければ、ステップ１に戻る。
ステップ３：  上述したようにして予圧力を増す。
〔ねじりバネ４０の有効巻数を増して弾性係数を減らす調整ステップ〕
ステップ１：予圧力を減らし、バネのピッチを回転体のピッチに回復させる。即ち、上述したとおりである。
ステップ２：ねじりバネ４０の有効巻数を増す。即ち、回転体ノブ７０５を回し、回転体駆動軸７０６と回転体３０を駆動し、回転体３０をねじりバネ４０の圧縮方向と反対方向に軸方向移動させ、設定された回転数を達成し、もし回転体３０の外周の抵抗体３０１とバネ線４０１が接触して回転体３０が有効に回転できなければ、ステップ１に戻る。
ステップ３：  上述したようにして予圧力を増す。
雄型ケースの内径が雌型ケースの外径より大きく、圧縮型調整式ねじりバネと外径式回転体を具えた調整機構の調整方法は、以上のようである。
【００２８】
図６は本発明の雄型ケース外径が雌型ケース内径より小さく、引っ張り型ねじりバネと外径式回転体を具えた調整機構の調整方法の実施例図である。図示されるように、この引っ張り型調整式ねじりバネは固定座２０１の長さにより引っ張り行程が決定され、最大の行程引っ張られる時、雄型ケース１０の一端と固定座２０１が接触し、引っ張り型調整式ねじりバネの組付け完成後に、そのねじりバネ４０が初期予圧力を受け、これにより雄型ケース１０と雌型ケース２０の同一端が初期予張力の作用力を有し、初期予張力の形成するバネのピッチが初期ピッチとされ、初期ピッチと初期予張力を受けないバネのピッチの間の差がねじりバネ４０の疲労変形の範囲とされる。使用周期内に、ねじりバネ４０が疲労変形を発生し、ねじりバネ４０を初期ピッチに回復させたい場合、その必要とする予張力は初期予張力より小さく、有効にねじりバネ４０の有効巻数を調整できるように、回転体３０の外周の抵抗体３０１及びその外周のネジのピッチ、即ち回転体３０が一周回転する時の軸方向移動は、初期ピッチと等しいかそれより大きくされる。
〔外径式回転体の調整機構の初期状態〕
１．予力ロッド７０２の固定キー７０９の位置がスロット７０８の端部であり、そのねじりバネ４０の引っ張りの方向の軸方向移動量は最大とされる。
２．回転体３０の外周の抵抗体３０１と予力ロッド７０２がかすかに接触し、回転体３０のねじりバネ４０の圧縮方向の反対方向の軸方向移動が最大とされる。
３．回転体３０外周の抵抗体３０１のバネ線４０１に対する圧迫部分において、回転体３０外周の抵抗体３０１とバネ線４０１が分離され、且つ微小な間隙を有するものとされる。
初期設定後、この時引っ張り型調整式ねじりバネの弾性係数は最小とされ、そのねじりバネ４０の有効巻数は最大とされる。
予張力を増すには、予力ノブ７０３を回し、予力駆動軸７０４と予力ロッド７０２を駆動して回転させ、予力ロッド７０２をねじりバネ４０の引っ張り方向に軸方向移動させると、回転体３０も軸方向移動し、回転体３０の外周の抵抗体３０１がバネ線４０１に対して圧迫し、これにより有効巻数部分のねじりバネ４０の予張力が増す。
〔ねじりバネ４０の有効巻数を減らし弾性係数を増す調整ステップ〕
ステップ１：予張力を減らし、バネのピッチを回転体のピッチに回復させる。即ち、予力ノブ７０３を回し、予力駆動軸７０４と予力ロッド７０２を駆動し、予力ロッド７０２をねじりバネ４０の引っ張り方向と反対方向に軸方向移動させると、回転体３０も軸方向移動し、回転体３０の外周の抵抗体３０１とバネ線４０１が分離し、且つ微小な間隙を形成し、これにより全体のねじりバネ４０の予張力を減らす。
ステップ２：ねじりバネ４０の有効巻数を減らす。即ち、回転体ノブ７０５を回し、回転体駆動軸７０６と回転体３０を駆動し、回転体３０をねじりバネ４０の引っ張り方向の反対方向に軸方向移動させ、設定された回転数を達成し、もし回転体３０の外周の抵抗体３０１とバネ線４０１が接触して回転体３０が有効に回転できなければ、ステップ１に戻る。
ステップ３：  上述したようにして予張力を増す。
〔ねじりバネ４０の有効巻数を増して弾性係数を減らす調整ステップ〕
ステップ１：予張力を減らし、バネのピッチを回転体のピッチに回復させる。即ち、上述したとおりである。
ステップ２：ねじりバネ４０の有効巻数を増す。即ち、回転体ノブ７０５を回し、回転体駆動軸７０６と回転体３０を駆動し、回転体３０をねじりバネ４０の引っ張り方向に軸方向移動及び回転させ、設定された回転数を達成し、もし回転体３０の外周の抵抗体３０１とバネ線４０１が接触して回転体３０が有効に回転できなければ、ステップ１に戻る。
ステップ３：  上述したようにして予張力を増す。
雄型ケースの内径が雌型ケースの外径より大きく、引っ張り型調整式ねじりバネと外径式回転体を具えた調整機構の調整方法は、以上のようである。
【００２９】
図７は本発明の雄型ケースの外径が雌型ケースの内径より小さく圧縮型調整式ねじりバネと内径式回転体を具えた調整機構の実施例図である。図示されるように、この圧縮式調整式ねじりバネは伸縮内管８０３が伸縮外管８０２の内側にあって軸方向移動可能とされ、その移動の範囲が圧縮行程を決定し、最大の行程圧縮される時、伸縮内管８０３の一端が伸縮外管８０２の一端のシールカバー８０５と接触し、圧縮型調整式ねじりバネの取付完成後、そのねじりバネ４０が初期予圧力を受け、これにより伸縮内管８０３の同一端と伸縮外管８０２の別端の軸受８０４の間に初期予圧力の作用力を有し、その初期予圧力の形成するバネのピッチが初期ピッチとされ、初期ピッチと初期予圧力を受けないバネのピッチとの間の差がねじりバネ４０の疲労変形の範囲とされ、使用周期内にあって、ねじりバネ４０が疲労変形を発生し、もしねじりバネ４０を初期ピッチに回復させたい場合、その必要とする予圧力は初期予圧力より小さく、有効にねじりバネ４０の有効巻数を調整できるようにするため、回転体３０の内周の抵抗体３０１及びその内周のネジのピッチ、即ち回転体３０が一周回転することによる軸方向移動は、初期ピッチと等しいかそれ以下とされる。
〔内径式回転体の調整機構の初期状態〕
１．予力ノブ８０１の内周が伸縮外管８０２のシールカバー８０５の位置にあってネジ山で接合され、そのねじりバネ４０の圧縮方向の軸方向移動が最大とされる。
２．回転体３０の内周の抵抗体３０１と雄型ケース１０の一端が僅かに接触し、回転体３０のねじりバネ４０の圧縮方向の軸方向移動が最大とされる。
３．回転体３０の内周の抵抗体３０１のバネ線４０１に対する圧迫部分にあって、回転体３０の内周の抵抗体３０１とバネ線４０１が分離されて微小な間隙を有するものとされる。
初期設定後、圧縮型調整式ねじりバネの弾性係数は最小とされ、そのねじりバネ４０の有効巻数は最大とされる。
予圧力を増すには、予力ノブ８０１を回し、雄型ケース１０と回転体３０をねじりバネ４０の圧縮方向に軸方向移動させ、回転体３０の内周の抵抗体３０１にバネ線４０１を圧迫させ、これにより有効巻数部分のねじりバネ４０の予圧力を増す。
〔ねじりバネ４０の有効巻数を減らし弾性係数を増す調整ステップ〕
ステップ１：予圧力を減らし、バネのピッチを回転体のピッチに回復させる。即ち、予力ノブ８０１を回し、雄型ケース１０と回転体３０をねじりバネ４０の圧縮方向に軸方向移動させ、回転体３０の内周の抵抗体３０１とバネ線４０１を分離させ、且つ微小な間隙を有するようにし、これにより全体のねじりバネ４０の予圧力を減らす。
ステップ２：ねじりバネ４０の有効巻数を減らす。即ち、回転体３０を回し、回転体３０をねじりバネ４０の圧縮方向に軸方向移動させ及び回転させ、設定された回転数を達成し、もし回転体３０の内周の抵抗体３０１とバネ線４０１が接触して回転体３０が有効に回転できなければ、ステップ１に戻る。
ステップ３：  上述したようにして予圧力を増す。
〔ねじりバネ４０の有効巻数を増して弾性係数を減らす調整ステップ〕
ステップ１：予圧力を減らし、バネのピッチを回転体のピッチに回復させる。即ち、上述したとおりである。
ステップ２：ねじりバネ４０の有効巻数を増す。即ち、回転体３０を回し、回転体３０をねじりバネ４０の圧縮方向と反対の方向に軸方向移動させ及び回転させ、設定された回転数を達成し、もし回転体３０の内周の抵抗体３０１とバネ線４０１が接触して回転体３０が有効に回転できなければ、ステップ１に戻る。
ステップ３：  上述したようにして予圧力を増す。
雄型ケースの内径が雌型ケースの外径より大きく、圧縮型調整式ねじりバネと内径式回転体を具えた調整機構の調整方法は、以上のようである。
【００３０】
図８は本発明の雄型ケースの外径が雌型ケースの内径より小さく引っ張り型調整式ねじりバネと内径式回転体を具えた調整機構の実施例図である。図示されるように、この引っ張り式調整式ねじりバネは伸縮内管８０３が伸縮外管８０２の内側にあって軸方向移動可能とされ、その移動の範囲が引っ張り行程を決定し、最大の行程引っ張られる時、伸縮内管８０３の一端が伸縮外管８０２の一端の軸受８０４と接触し、引っ張り型調整式ねじりバネの取付完成後、そのねじりバネ４０が初期予張力を受け、これにより伸縮内管８０３の同一端と伸縮外管８０２の別端のシールカバー８０５の間に初期予張力の作用力を有し、その初期予張力の形成するバネのピッチが初期ピッチとされ、初期ピッチと初期予張力を受けないバネのピッチとの間の差がねじりバネ４０の疲労変形の範囲とされ、使用周期内にあって、ねじりバネ４０が疲労変形を発生し、もしねじりバネ４０を初期ピッチに回復させたい場合、その必要とする予張力は初期予張力より小さく、有効にねじりバネ４０の有効巻数を調整できるようにするため、回転体３０の内周の抵抗体３０１及びその内周のネジのピッチ、即ち回転体３０が一周回転することによる軸方向移動は、初期ピッチと等しいかそれより大きくされる。
〔内径式回転体の調整機構の初期状態〕
１．予力ノブ８０１の内周が伸縮外管８０２のシールカバー８０５の位置にあってネジ山で接合され、そのねじりバネ４０の引っ張り方向の軸方向移動が最大とされる。
２．回転体３０の内周の抵抗体３０１と雄型ケース１０の一端が僅かに接触し、回転体３０のねじりバネ４０の引っ張り方向と反対の軸方向移動が最大とされる。
３．回転体３０の内周の抵抗体３０１のバネ線４０１に対する圧迫部分にあって、回転体３０の内周の抵抗体３０１とバネ線４０１が分離されて微小な間隙を有するものとされる。
初期設定後、引っ張り型調整式ねじりバネの弾性係数は最小とされ、そのねじりバネ４０の有効巻数は最大とされる。
予張力を増すには、予力ノブ８０１を回し、雄型ケース１０と回転体３０をねじりバネ４０の引っ張り方向に軸方向移動させ、回転体３０の内周の抵抗体３０１にバネ線４０１を圧迫させ、これにより有効巻数部分のねじりバネ４０の予張力を増す。
〔ねじりバネ４０の有効巻数を減らし弾性係数を増す調整ステップ〕
ステップ１：予張力を減らし、バネのピッチを回転体のピッチに回復させる。即ち、予力ノブ８０１を回し、雄型ケース１０と回転体３０をねじりバネ４０の引っ張り方向と反対方向に軸方向移動させ、回転体３０の内周の抵抗体３０１とバネ線４０１を分離させ、且つ微小な間隙を有するようにし、これにより全体のねじりバネ４０の予張力を減らす。
ステップ２：ねじりバネ４０の有効巻数を減らす。即ち、回転体３０を回し、回転体３０をねじりバネ４０の引っ張り方向と反対方向に軸方向移動させ及び回転させ、設定された回転数を達成し、もし回転体３０の内周の抵抗体３０１とバネ線４０１が接触して回転体３０が有効に回転できなければ、ステップ１に戻る。
ステップ３：  上述したようにして予張力を増す。
〔ねじりバネ４０の有効巻数を増して弾性係数を減らす調整ステップ〕
ステップ１：予張力を減らし、バネのピッチを回転体のピッチに回復させる。即ち、上述したとおりである。
ステップ２：ねじりバネ４０の有効巻数を増す。即ち、回転体３０を回し、回転体３０をねじりバネ４０の引っ張り方向に軸方向移動させ及び回転させ、設定された回転数を達成し、もし回転体３０の内周の抵抗体３０１とバネ線４０１が接触して回転体３０が有効に回転できなければ、ステップ１に戻る。
ステップ３：  上述したようにして予張力を増す。
雄型ケースの内径が雌型ケースの外径より大きく、引っ張り型調整式ねじりバネと内径式回転体を具えた調整機構の調整方法は、以上のようである。
【図面の簡単な説明】
【００３１】
【図１】本発明の調整式ねじりバネケースの雄型ケースの一端に固定された外径式回転体の調整機構の分解図である。
【図２】本発明の調整式ねじりバネケースの雄型ケースの一端に固定された外径式回転体の調整機構の立体図である。
【図３】本発明の調整式ねじりバネケースの雄型ケースの一端に固定された外径式回転体の調整機構の表示図である。
【図４】本発明の調整式ねじりバネケースの雄型ケースの一端の内径式回転体の調整機構の表示図である。
【図５】本発明の雄型ケースの外径が雌型ケースの内径より小さく、圧縮型調整式ねじりバネと外径式回転体を具えた調整機構の実施例図である。
【図６】本発明の雄型ケース外径が雌型ケース内径より小さく、引っ張り型ねじりバネと外径式回転体を具えた調整機構の調整方法の実施例である。
【図７】本発明の雄型ケースの外径が雌型ケースの内径より小さく圧縮型調整式ねじりバネと内径式回転体を具えた調整機構の実施例図である。
【図８】本発明の雄型ケースの外径が雌型ケースの内径より小さく引っ張り型調整式ねじりバネと内径式回転体を具えた調整機構の実施例図である。
【符号の説明】
【００３２】
１０  雄型ケース
１０１  バネ固定座
２０  雌型ケース
２０１  固定座
３０  回転体
３０１  抵抗体
４０  ねじりバネ
４０１  バネ線
７０  調整機構
８０  調整機構
７０１  調整ケース
７０２  予力ロッド
７０３、８０１  予力ノブ
７０４  予力駆動軸
７０５  回転体ノブ
７０６  回転体駆動軸
７０７  区画シート
７０８  スロット
７０９  固定キー
８０２  伸縮外管
８０３  伸縮内管
８０４  軸受
８０５  シールカバー
【図１】
2005331095.tif 000003
【図２】
2005331095.tif 000004
【図３】
2005331095.tif 000005
【図４】
2005331095.tif 000006
【図５】
2005331095.tif 000007
【図６】
2005331095.tif 000008
【図７】
2005331095.tif 000009
【図８】
2005331095.tif 000010